(57)【要約】【課題】サービスプランを容易に作成可能なサービスプラン作成方法を提供する。【解決手段】ＷｉＭＡＸ通信システム１０では、端末１２と端末１２へＩＰアドレスを割り当てるＤＨＣＰサーバ２２との間で形成されるコネクションであるイニシャルサービスフローと、端末１２と無線接続する基地局１４間で形成されるコネクションであるデータサービスフローと、を備える前記サービスプランの作成は、ＡＲＱの適用の有無、ＱｏＳに基づいて前記データサービスフローを作成し、予め作成された前記イニシャルサービスフローと、作成された前記データサービスフローとを組み合わせて、前記サービスプランが作成される。これによれば、サービスプランを容易に作成することができる。【選択図】図２
2010109678.tif 000002
【特許請求の範囲】
【請求項１】
端末と前記端末へＩＰアドレスを割り当てるＤＨＣＰサーバとの間で形成されるコネクションであるイニシャルサービスフローと、前記端末と無線接続する基地局間で形成されるコネクションであるデータサービスフローと、を備えるサービスプランを作成するサービスプラン作成方法であって、
ＡＲＱの適用の有無、ＱｏＳに基づいて前記データサービスフローを作成し、
予め作成された前記イニシャルサービスフローと、作成された前記データサービスフローとを組み合わせて、前記サービスプランを作成する
ことを特徴とするサービスプラン作成方法。
【請求項２】
請求項１記載のサービスプラン作成方法において、
前記データサービスフローの作成では、前記ＱｏＳ中の通信トラフィックの優先度又は回線品質に基づいて、通信速度を設定する
ことを特徴とするサービスプラン作成方法。
【請求項３】
請求項１又は２記載のサービスプラン作成方法において、
前記サービスプランは、前記端末に対する通信リソースを管理するＰＦサーバが有する表示装置上のＧＵＩを利用して作成される
ことを特徴とするサービスプラン作成方法。
【発明の詳細な説明】
【技術分野】
【０００１】
本発明は、ＷｉＭＡＸ通信システムにおいて作成されるサービスプランの作成方法に関する。
【背景技術】
【０００２】
次世代の高速移動体通信方式としてＷｉＭＡＸ(Worldwide Interoperability for Microwave Access)が国際的に注目を集め、このシステムの導入が開始されている。
【０００３】
このＷｉＭＡＸのシステムを構成するためには、端末と、前記端末と無線接続する基地局と、前記端末と前記基地局の制御を行うＡＳＮＧＷ（Access Service Network Gateway）と、前記端末の管理を行うＣＳＮ（Connectivity Service Network）とが必要である。
【０００４】
前記端末と前記基地局が無線接続し、前記端末と前記基地局間でパケットの送受信をするためには、データパスとして、イニシャルサービスフローを作成した後に、データサービスフローを作成する必要があり、前記各サービスフローは、トラフィックの優先度等の種々のパラメータを設定することにより作成される。
【０００５】
【非特許文献１】WiMAX FORUM 「WiMAX Forum Network Architecture（Stage 3−Detailed Protocols and Procedures）」 ２００８年１月１１日  p.139-142
【発明の開示】
【発明が解決しようとする課題】
【０００６】
しかしながら、このサービスフローを作成するための種々のパラメータの設定は、パラメータの種類、パラメータ相互間の関係から設定が容易ではなく、このサービスフローを組み合わせたサービスプランの作成も容易ではない。
【０００７】
本発明は、上記の課題を考慮してなされたものであって、サービスプランを容易に作成可能なサービスプラン作成方法を提供することを目的とする。
【課題を解決するための手段】
【０００８】
本発明に係るサービスプラン作成方法は、端末と前記端末へＩＰアドレスを割り当てるＤＨＣＰサーバとの間で形成されるコネクションであるイニシャルサービスフローと、前記端末と無線接続する基地局間で形成されるコネクションであるデータサービスフローと、を備えるサービスプランを作成するサービスプラン作成方法であって、ＡＲＱの適用の有無、ＱｏＳに基づいて前記データサービスフローを作成し、予め作成された前記イニシャルサービスフローと、作成された前記データサービスフローとを組み合わせて、前記サービスプランを作成することを特徴とする。
【０００９】
また、前記データサービスフローの作成では、前記ＱｏＳ中の通信トラフィックの優先度又は回線品質に基づいて、通信速度を設定する。
【００１０】
さらに、前記サービスプランは、前記端末に対する通信リソースを管理するＰＦサーバが有する表示装置上のＧＵＩを利用して作成される。
【発明の効果】
【００１１】
本発明のサービスプラン作成方法によれば、サービスプランの作成は、予め作成された前記イニシャルサービスフローを選択し、ＡＲＱの適用の有無、ＱｏＳに基づいて前記データサービスフローを作成し、選択された前記イニシャルサービスフローと、作成された前記データサービスフローとを組み合わせて、容易に前記サービスプランを作成することができる。また、前記データサービスフローの作成では、前記ＱｏＳ中の通信トラフィックの優先度又は回線品質に基づいて、適切な通信速度を設定することができる。さらに、前記サービスプランは、ＰＦサーバが有する表示装置上のＧＵＩを利用して作成することにより、簡便に作成することができる。
【発明を実施するための最良の形態】
【００１２】
以下、本発明の実施形態について図面を参照して説明する。図１は、本発明の実施形態に係るサービスプラン作成方法が適用されるＷｉＭＡＸ通信システム１０の説明図である。
【００１３】
ＷｉＭＡＸ通信システム１０は、通信機能を有するコンピュータや携帯電話等である端末（ＭＳ）１２と、端末１２と無線接続する基地局（ＢＳ）１４と、端末１２、基地局１４を制御するＡＳＮＧＷ１６と、ＣＳＮ１８とを備える。基地局１４とＡＳＮＧＷ１６とは、アクセスネットワーク２０を介して接続される。ＣＳＮ１８は、端末１２へＩＰアドレスを割り当て、管理をするＤＨＣＰ（Dynamic Host Configuration Protocol）サーバ２２と、端末１２の認証や課金情報の収集・管理を行うＲＡＤＩＵＳ（Remote Authentication Dial In User Service）サーバ２４と、端末１２に対するサービスプランを作成し通信リソースを管理するＰＦ(Policy Function)サーバ２６とを有する。
【００１４】
次に、ＰＦサーバ２６によるサービスプランの作成方法について、図２に基づいて説明する。図２は、サービスプランの作成手順についての説明図であり、図３はイニシャルサービスフロー及びデータサービスフローの作成画面についての説明図であり、図４はサービスプランの作成画面についての説明図であり、図５は作成されたサービスプランの表示画面の説明図である。
【００１５】
ＰＦサーバ２６によって作成されるサービスプランは、端末１２とＤＨＣＰサーバ２２との間で形成されるコネクションであるイニシャルサービスフローと、端末１２と基地局１４との間で形成されるコネクションであるデータサービスフローとを備える。ＰＦサーバ２６は、サービスフローを主として、ＱｏＳ（Quality of Service）、ＡＲＱ（Automatic Repeat reQuest）、クラシファイアルールに基づいて作成し、このうち、クラシファイアルールについては、予め適切なパラメータが設定されている。また、イニシャルサービスフロー（１０２）については、ＰＦサーバ２６によって予め作成される。
【００１６】
ＰＦサーバ２６によるサービスプランの作成では、まず、データサービスフローが作成される。データサービスフローの作成は、操作者が、データサービスフロー作成欄１０４のService Class Name設定欄１０６でサービスクラス名を設定し（ステップＳ１）、ＡＲＱの適用の有無をARQ Indication設定欄１０８で選択し（ステップＳ２）、トラフィックの優先度を設定するためにTraffic Priority選択欄１１０で優先度を設定する（ステップＳ３）。Traffic Priority選択欄１１０では７段階の優先度を選択できるように設定されている。
【００１７】
また、操作者は、配信サービスタイプを設定するためにDelivery Service Type選択欄１１２でタイプを選択する（ステップＳ４）。配信サービスタイプのタイプとしては、一般的なネット利用に対応したＢＥ(Best Effort)、非リアルタイムサービスであるＮＲＴＰＳ（Non Real Time Polling Service）、動画対応リアルタイムサービスであるＲＴＰＳ（Real Time Polling Service）、音声対応リアルタイムサービスであるＵＧＳ（Unsolicited Grant Service）の４つのタイプが設定されている。
【００１８】
さらに、操作者は、トラフィックレート（通信速度）をSustained Traffic Rate設定欄１１４で設定する（ステップＳ５）。トラフィックレートの設定は、配信サービスタイプとして、ＢＥを選択した場合には、トラフィックレートとして最大値を設定し、ＢＥ以外の配信サービスタイプについては、トラフィックレートとして最小値を設定する。次いで、最低保証の帯域トラフィックレートをMinimum Rereserved Traffic Rate設定欄１１６で設定する（ステップＳ６）。そして、許容ジッタをTolerated Jitter設定欄１１８で設定し（ステップＳ７）、最大レイテンシをMaximum Latency設定欄１２０で設定（ステップＳ８）することにより、データサービスフローが作成される。
【００１９】
次いで、サービスプランを作成する。操作者は、作成画面２００のService Plan設定欄２０２でサービスプラン名を設定し（ステップＳ９）、Transport Service Flow欄２０４に表示されたサービスフローに対して、Uplink/Downlink選択欄２０６でサービスフローの上り又は下りの方向性を選択し（ステップＳ１０）、このサービスプランに対応したイニシャルサービスフロー又はデータサービスフローをService Class Name設定欄２０８で設定する（ステップＳ１１）。この設定は、作成したイニシャルサービスフロー又はデータサービスフローの中からサービスクラス名で指定することにより設定される。
【００２０】
作成画面３００には、サービスフローとしてＳＦ１〜ＳＦ４から構成されるサービスプランが表示されている。各サービスフローに対しては、上り又は下りの方向性、イニシャルサービスフロー又はデータサービスフローのサービスクラス名が特定されている。
【００２１】
上述したサービスプランの作成手順のうち、ステップＳ３のトラフィック優先度の設定、ステップＳ４の配信サービスタイプを設定した場合に、ステップＳ５のトラフィックレートの設定では、選択したトラフィック優先度及び配信サービスタイプに応じて、トラフィックレートの上限値又は下限値を制限することもできる。図６は、選択したトラフィック優先度及び配信サービスタイプに対するトラフィックレートの制限についての説明図である。図６に示す設定表４００では、トラフィック優先度及び配信サービスタイプを各々選択することにより、トラフィックレートの上限値又は下限値が設定される。例えば、ステップＳ３でトラフィックの優先度を１とし、ステップＳ４で配信サービスタイプをＢＥとした場合には、ステップＳ５で設定できるトラフィックレートの上限値は、上り方向で０．３６（Ｍｂｐｓ）、下り方向で０．６（Ｍｂｐｓ）以下に制限される。また、ステップＳ３でトラフィックの優先度を７とし、ステップＳ４で配信サービスタイプをＵＧＳとした場合には、ステップＳ５で設定できるトラフィックレートの下限値は、上り方向で２．８８（Ｍｂｐｓ）、下り方向で９．６（Ｍｂｐｓ）以上に制限される。これにより、操作者は、ステップＳ５のトラフィックレートの設定では、設定された上限値以下又は下限値以上のトラフィックレートを設定することになる。
【００２２】
また、サービスプランの作成においては、ステップＳ１０でサービスフローの方向性を設定した後には、同じ方向であるイニシャルサービスフロー又はデータサービスフローしか設定できないように制限することもできる。すなわち、Transport Service Flow欄２０４で上り方向のサービスフローを選択した場合には、上り方向のイニシャルサービスフロー又はデータサービスフローのいずれかを選択させることにより、誤設定を防ぐことができる。
【００２３】
以上説明したように、ＷｉＭＡＸ通信システム１０では、端末１２と端末１２へＩＰアドレスを割り当てるＤＨＣＰサーバ２２との間で形成されるコネクションであるイニシャルサービスフローと、端末１２と無線接続する基地局１４間で形成されるコネクションであるデータサービスフローと、を備える前記サービスプランの作成は、ＡＲＱの適用の有無、ＱｏＳに基づいて前記データサービスフローを作成し、予め作成された前記イニシャルサービスフローと、作成された前記データサービスフローとを組み合わせて、前記サービスプランが作成される。これによれば、サービスプランを容易に作成することができる。
【００２４】
また、前記データサービスフローの作成では、前記ＱｏＳ中の通信トラフィックの優先度又は回線品質に基づいて、適切な通信速度を設定することができる。
【００２５】
さらに、前記サービスプランは、ＰＦサーバ２６が有する表示装置上の作成画面１００、２００、３００に示すようなＧＵＩ（Graphical User Interface）を利用することにより、簡便に作成することができる。
【００２６】
なお、本発明は、上述の実施形態に限らず、本発明の要旨を逸脱することなく、種々の構成を採り得ることはもちろんである。
【図面の簡単な説明】
【００２７】
【図１】本発明の実施形態に係るサービスプラン作成方法が適用されるＷｉＭＡＸ通信システムの説明図である。
【図２】サービスプランの作成手順についての説明図である。
【図３】イニシャルサービスフロー及びデータサービスフローの作成画面についての説明図である。
【図４】サービスプランの作成画面についての説明図である。
【図５】作成されたサービスプランの表示画面の説明図である。
【図６】選択したトラフィック優先度及び配信サービスタイプに対するトラフィックレートの制限についての説明図である。
【符号の説明】
【００２８】
１０…ＷｉＭＡＸ通信システム          １２…端末
１４…基地局                          １６…ＡＳＮＧＷ
１８…ＣＳＮ                          ２０…アクセスネットワーク
２２…ＤＨＣＰサーバ                  ２４…ＲＡＤＩＵＳサーバ
２６…ＰＦサーバ                      １００、２００、３００…作成画面
１０２…イニシャルサービスフロー      １０４…データサービスフロー作成欄
１０６…Service Class Name設定欄      １０８…ARQ Indication設定欄
１１０…Traffic Priority選択欄
１１２…Delivery Service Type選択欄
１１４…Sustained Traffic Rate設定欄
１１６…Minimum Rereserved Traffic Rate設定欄
１１８…Tolerated Jitter設定欄        １２０…Maximum Latency設定欄
２０２…Service Plan設定欄            ２０４…Transport Service Flow欄
２０６…Uplink…Downlink選択欄        ２０８…Service Class Name設定欄
４００…設定表
【図１】
2010109678.tif 000003
【図２】
2010109678.tif 000004
【図３】
2010109678.tif 000005
【図４】
2010109678.tif 000006
【図５】
2010109678.tif 000007
【図６】
2010109678.tif 000008